(57)【要約】      （修正有）【課題】移し変えが容易で、置物としても、外観上綺麗で、高級感を実現する液体注出装置を提供する。【解決手段】外周面に環状突起を有する口筒部２３を有するびん２と、口筒部に密に不動状態に組み付く外筒３１と、これに連続して口部を被覆する頂壁を設け、該頂壁に連続して内筒を設けた本体と、ストッパを設けると共に底壁を設ける。さらに上端部に環状凸条を設けた内筒部を設けた中栓３４の組み合わせからなるセーフティキャップ３と、環状凸条に嵌脱自在な環状凹溝を設けた挿入部に連続して、流入孔を設けた円筒体を一体に設けた注出具体４と、弁側壁を設け、下部に空間部と連通し内容液の注出口となる通路を配する。さらに、弁側壁に当接する弁体を設け、シリンダが前記ガイド筒をスライドし、ピストンの基部に回動自在なハンドル６２を配置し、ハンドルの操作で流入孔からの液体が注出可能な注出具本体５と、前記びんの口筒部を下側に傾斜させた姿勢に載置可能なスタンド７とからなる。【選択図】図１
0003152861.tif 000002
【実用新案登録請求の範囲】
【請求項１】
胴部の上部に円錐台状の肩部を設け、該肩部の上部に外周面に環状突起を有する口筒部を有するびんと、
前記びんの口筒部に密に不動状態に組み付く外筒と、これに連続して口部を被覆する頂壁を設け、該頂壁に連続して口筒部の内方に配置される内筒を設けた本体と、後端部にはストッパを設けると共に底壁を設け、上端部に環状凸条を設けた、内筒に挿着可能な内筒部を設けた中栓の組み合わせからなり、該中栓を嵌脱自在に構成したセーフティキャップと、
前記中栓の環状凸条に嵌脱自在な環状凹溝を設けた先細状の挿入部に連続して、流入孔を設けた円筒体を一体に設け、該円筒体の端部にネジ筒部を設けた注出具体と、前記ネジ筒部にネジ結合する係合体を設けると共に該係合体に連続して弁側壁を設け、さらに前記円筒体より小径のガイド筒注出体側に設け、下部に空間部と連通し内容液の注出口となる通路を設け、弁側壁に当接する弁体を設け、スプリングを内蔵し、ピストンを配置したシリンダを前記ガイド筒をスライド可能に配置し、該ピストンの基部には軸を支点に回動自在なハンドルを配置し、該ハンドルの反対側に固定体を立設し、ハンドルを固定体側に回動させた時、ピストンが駆動して、シリンダが前記ガイド筒をスライドし、同時に弁体が弁側壁から離反して通路を開いて空間部と通路が連通し、流入孔からの液体が注出可能な注出具本体と、
前記びんの口筒部を下側に傾斜させた姿勢に載置可能に、前側にびんの肩部付近を保持する首保持部を設け、後側に胴部載置部を形成したスタンドとから構成してなる温泉水等液体注出装置。
【請求項２】
スタンドの首保持部、胴部載置部には、びんに傷が付かないように弾性部材を配置することを特徴とする請求項１に記載の温泉水等液体注出装置。
【考案の詳細な説明】
【技術分野】
【０００１】
本考案は、例えば温泉水等のような液体が詰められた、または現地で温泉水を詰め込んだ大きな容器から直接飲料用コップ等食器に注ぐ時に使用するスタンド式の温泉水等液体注出装置に関するものである。
【背景技術】
【０００２】
従来技術の液体注出装置としては、びんの口筒部に弁機構を有する液体注出装置を取り付けて、びん内の液体を適量注出する液体注出装置がある。（特許文献１参照）。
【先行技術文献】
【特許文献】
【０００３】
【特許文献１】特開２００４−２１７２８１
【考案の概要】
【考案が解決しようとする課題】
【０００４】
（１）上記従来の技術では、比較的少量の液体を収容するペットボトルやウィスキーのびんに取り付けて使用するものである。これより大きなびん、例えば、４リットル程度の大きなびん容器の場合は、収容された温泉水等液体の入ったびんから小さいコップ等食器や容器に移し変えて飲んでいる。しかし、この大きなびん容器から温泉水を移し変え作業の際に、びん容器は大きいために注出作業が難しく、周囲に溢して水浸しにして汚すことが多い。特に、子供や体力のない人にはこの移し変え作業が難しいという問題点がある。
【０００５】
（２）大きなびん容器に収容された温泉水等を注出時のみ空気に触れるようにして内容液に変化をおこさせない状態でコップ等食器に注出することが可能な液体注出装置が存在しないという問題点がある。
【０００６】
（３）従来の液体注出装置では、大きなびん容器から温泉水等液体をコップ等食器に移し変える専用の装置がないため、市販の大きなプラスチックス製容器に温泉水等液体を入れ、このプラスチックス容器からコップ等容器に移し変えている。また、外観上テーブルの上等に置くには外観が悪く、しかもこの大きな容器をテーブルの上に置いた場合に高級感がないため、テーブル上に置けないという問題点がある。
【０００７】
（４）温泉水を収納したペットボトルの場合は、使用後は再使用されることなく捨てられる。従って、再使用できないため産業廃棄物が多くなるだけであるという問題点がある。
【０００８】
（５）人間が飲むことが許可された温泉水は、一般には、貯蔵した温泉水を供給パイプの先端ノズルをびん等容器の口筒部に挿入にし、大きな液体容器やペットボトルに詰め込んでキャップを閉めた後、車両等の所定搬送手段で配送している。温泉水等液体を大きなびん容器に収容した状態で、温泉水の供給場所から消費者の所に運び、そのままの状態で、小分けすることなく、スタンド式状態で注出する装置がないという問題点がある。
【０００９】
上記問題点に鑑み案出された本考案は、温泉水等の液体を収容した大きな容器から小さいコップ等食器に移し変えが容易で、テーブル等の上に置物として置いても、外観上綺麗で、高級感のある温泉水等液体注出装置の提供を目的としている。
【課題を解決するための手段】
【００１０】
上記課題を解決するための手段のうち、本考案の主たる構成は、
胴部２１の上部に円錐台状の肩部２２を設け、該肩部２２の上部に外周面に環状突起２４を有する口筒部２３を有するびん２と、
前記びん２の口筒部２３に密に不動状態に組み付く外筒３１と、これに連続して口部２５を被覆する頂壁３３を設け、該頂壁３３に連続して口筒部２３の内方に配置される内筒３２を設けた本体３９と、後端部にはストッパ３６を設けると共に底壁３７を設け、上端部に環状凸条３８を設けた、内筒３２に挿着可能な内筒部３５を設けた中栓３４の組み合わせからなり、該中栓３４を嵌脱自在に構成したセーフティキャップ３と、
前記中栓３４の環状凸条３８に嵌脱自在な環状凹溝４３を設けた先細状の挿入部４２に連続して、流入孔４５を設けた円筒体４１を一体に設け、該円筒体４１の端部にネジ筒部４６を設けた注出具体４と、前記ネジ筒部４６にネジ結合する係合体５１を設けると共に該係合体５１に連続して弁側壁５５を設け、さらに前記円筒体４１より小径のガイド筒５２注出体４側に設け、下部に空間部５４と連通し内容液の注出口となる通路５３を設け、弁側壁５５に当接する弁体５６を設け、スプリング５７を内蔵し、ピストン５８を配置したシリンダ６を前記ガイド筒５２をスライド可能に配置し、該ピストン５８の基部５９には軸６１を支点に回動自在なハンドル６２を配置し、該ハンドル６２の反対側に固定体６３を立設し、ハンドル６２を固定体６３側に回動させた時、ピストン５８が駆動して、シリンダ６が前記ガイド筒５２をスライドし、同時に弁体５６が弁側壁５５から離反して通路５３を開いて空間部５４と通路５３が連通し、流入孔４５からの液体Ｌが注出可能な注出具本体５と、
前記びん２の口筒部５１を下側に傾斜させた姿勢に載置可能に、前側にびん２の肩部２２付近を保持する首保持部６１を設け、後側に胴部載置部６２を形成したスタンド６３とから構成してなる、と言うものである。
【００１１】
本考案の他の構成は上記主たる構成において、
スタンド６３の首保持部６１、胴部載置部６２には、びん２に傷が付かないように弾性部材６３を配置することを特徴とする、と云うものである。
【考案の効果】
【００１２】
上記構成の本考案は以下の効果を奏するものである。
（１）４リットル程度の大きな容器で温泉水等の液体が配送された場合に、この大きく重量のあるびんをスタンドに載置し、びん口筒部にセーフティキャップを嵌着し、注出具本体をセーフティキャップに組み付けて注出できる。びんの中の液体を注出するときは、ハンドルを固定体側に駆動させ、ハンドルの調節により適量をコップ等容器に移し替える。従って、大きな容器からコップ等食器に注ぐのがスムーズに行え、ハンドルの調整により液体の注出量が調節できる。
【００１３】
（２）配送された大きなびんの場合でも、この大きなびんをスタンドに載置してスムーズに適量注出できるため、内溶液を移し変える際に周囲には溢して汚したりすることがなく、安全性の高い装置にできる。
【００１４】
（３）従来は、大きなびん容器から温泉水をコップ等容器に移し変える専用の装置がないため、市販のプラスチックス製容器に温泉水を入れ、このプラスチックス容器からコップ等容器に移し変えているが、本考案ではスタンドと大きな容器の組み合わせにより、外観上、室内調度品的雰囲気を醸し出し、高級感を発揮できる。従って、テーブルの上に置いた場合にも外観がよく、高級感があり、置物としてテーブル上に置いて、室内を飾ることができる。
【００１５】
（４）ガラス製びんを使用した場合は、使用後は洗浄して再使用でき、ガラス製びんが壊れるまで繰り返し使用でき「エコ」（環境に良い）に貢献する製品である。
【００１６】
（５）びんに収用された温泉水は注出時のみ開栓出来るため、ほとんど外気に接触することがないので、化学変化することなく、湧き出た温泉水のままの状態で長期間保存可能である。また、温泉水等の酸化による化学変化、品質の劣化が防止出来るものである。
【図面の簡単な説明】
【００１７】
【図１】本考案の注出装置の一実施例を表す正面図
【図２】本考案の注出装置の一実施例の分解斜視図
【図３】通路を閉塞した通常状態の要部断面図
【図４】弁体を開いて液体注出時の要部断面図
【図５】弁装置の先端部挿入前の一部断面図
【図６】弁装置の先端部挿入前の一部断面図
【図７】スタンドの左側面図
【図８】スタンドの右側面図
【考案を実施するための形態】
【００１８】
本考案の実施例を図１〜６により説明する。
なお、図３は、通路を閉塞した通常状態の要部断面図、図４は弁体を開いて液体注出時の要部断面図、図５は弁装置の先端部挿入前の一部断面図、図６は弁装置の先端部挿入前の一部断面図である。
本考案の装置は、びん２と、このびんの口筒部２３に密に不動状態に嵌着し、中栓が嵌脱自在のセーフティキャップ３と、該セーフティキャップ３に挿入される注出具本体５と、前記びん２を注出可能な姿勢に保持するスタンド６３とから構成されている。
【００１９】
びん２は、胴部２１の上部に円錐台状の肩部２２を設け、該肩部２２の上部に外周面に環状突起２４を有する口筒部２３を有している。
【００２０】
セーフティキャップ３は、軟質合成樹脂で製作され、前記びん２の口筒部２３に密に不動状態に組み付く外筒３１と、これに連続して口部２５を被覆する頂壁３３を設け、該頂壁３３に連続して口筒部２３の内方に配置される内筒３２を設けた本体３９と、後端部にはストッパ３６を設けると共に底壁３７を設け、上端部に環状凸条３８を設けた、内筒３２に挿着可能な内筒部３５を設けた中栓３４の組み合わせからなり、該中栓３４が嵌脱自在に構成されている。
【００２１】
さらに、注出具体４は、前記中栓３４の環状凸条３８に嵌脱自在な環状凹溝４３を設けた先細状の挿入部４２に連続して、流入孔４５を設けた円筒体４１を一体に設け、該円筒体４１の端部にネジ筒部４６を設けられている。
【００２２】
また、注出具本体５は、前記ネジ筒部４６にネジ結合する係合体５１を設けると共に該係合体５１に連続して弁側壁５５を設け、さらに前記円筒体４１より小径のガイド筒５２注出体４側に設け、下部に空間部５４と連通し内容液の注出口となる通路５３を設け、弁側壁５５に当接する弁体５６を設け、スプリング５７を内蔵し、ピストン５８を配置したシリンダ６を前記ガイド筒５２をスライド可能に配置し、該ピストン５８の基部５９には軸６１を支点に回動自在なハンドル６２を配置し、該ハンドル６２の反対側に固定体６３を立設し、ハンドル６２を固定体６３側に回動させた時、ピストン５８が駆動して、シリンダ６が前記ガイド筒５２をスライドし、同時に弁体５６が弁側壁５５から離反して通路５３を開いて空間部５４と通路５３が連通し、流入孔４５からの液体Ｌが注出可能にされている。
【００２３】
スタンド６３は、前記びん２の口筒部５１を下側に傾斜させた姿勢に載置可能に、前側にびん２の肩部２２付近を保持する首保持部６１を設け、後側に胴部載置部６２を形成されている。
【００２４】
スタンド６３の首保持部６１、胴部載置部６２には、びん２に傷が付かないように弾性部材６３を配置されている。
【００２５】
図５は、びん２の口部の閉塞状態を示し、びん２の口筒部２３に本体３９が嵌着し、内筒３２に中栓３４が嵌着している。中栓３４の内筒部３５は、本体３９の内筒３２内に挿着し、内筒３２の後端部はストッパ３６で移動が阻止されている。
【００２６】
次に、注出具体４の挿入部４２を挿入すると、中栓３４の環状凹条３８は該挿入部４２の環状凹溝４３に嵌着した状態で口筒部２３の内部に進入する。この時流入孔４５は口筒部２３位置にあり、びん２内の液体Ｌはこの流入孔４５に流入する（図６参照）。
【００２７】
また、図３は通路５３の閉塞状態を示し、弁体５６は弁側壁５５面を押圧し、通路５３と液体Ｌが溜まる空間部５４とは連通状態にない。
【００２８】
図４は通路５３が開いた状態を示し、ハンドル６２を固定体６３側に回動させると、ピストン５８が移動しスプリング５７が圧縮されて、同時にすシリンダ６の基部はガイド筒５２をスライドし、通路５３を閉塞していた弁体５６が開き、通路５３と空間部５４は連通して、びん２内の液体Ｌを通路５３から注出できる。  なお、ハンドル６２の調整により適量の液体Ｌを通路５３から注出可能となる。
【符号の説明】
【００２９】
１    液体注出装置
２    びん
２１  胴部
２２  肩部
２３  口筒部
２４  環状突起
２５  口部
３    セーフティキャップ
３１  外筒
３２  内筒
３３  頂壁
３４  中栓
３５  内筒部
３６  ストッパ
３７  底壁
４    注出具体
４１  円筒体
４２  挿入部
４３  環状凹溝
４５  流入孔
５    注出具本体
５１  係合部
５２  ガイド筒
５３  通路
５４  空間部
５５  弁側壁
５６  弁体
５７  スプリング
５８  ピストン
５９  基部
６  シリンダ
６１  軸
６２  ハンドル
６３  固定体
７  スタンド
７１  首保持部
７２  胴部載置部
７３  弾性部材
８    コップ
８１  テーブル
Ｌ  液体
【図１】
0003152861.tif 000003
【図２】
0003152861.tif 000004
【図３】
0003152861.tif 000005
【図４】
0003152861.tif 000006
【図５】
0003152861.tif 000007
【図６】
0003152861.tif 000008
【図７】
0003152861.tif 000009
【図８】
0003152861.tif 000010